(57)【要約】【課題】ＳＰＣクライアントとクライアントブレードからなる環境において、安全にデータを可搬媒体に持ち出し、また安全に可搬媒体から持ち込むためのデータ入出力を管理する方法が必要である。【解決手段】ＳＰＣクライアント、クライアントブレードと接続し、データ入出力を管理するデータ入出力管理サーバを設け、データ入出力管理サーバの制御下で、持ち出し・持ち込み権限のある申請者、指定した機器・媒体にのみデータ持ち出し・持ち込みを許可し、かつ出力データは電子割符技術により分割暗号化して出力する。【選択図】  図１
2008186315.tif 000002
【特許請求の範囲】
【請求項１】
セキュリティＰＣ（以下ＳＰＣ）クライアント、ＳＰＣクライアントブレード（以下ＣＢ）、データ入出力管理サーバが接続したネットワークシステムにおけるデータの入出力制御方法であり、
前記のＳＰＣクライアントからデータ入出力管理サーバに対してネットワークから可搬媒体により持ち出すデータの送信および持ち出し理由の申請を行う申請・承認画面画面制御機能を備え、
承認者への電子メールによる承認依頼メール機能により通知を行い、
承認者により申請理由およびデータの内容を確認することによる承認を行うと同時に申請者に対して電子メールによる通知をし、
申請者の選択する可搬媒体を操作画面から選択することによってデータ入出力管理サーバが持ち出しデータを割符（分割暗号化）し、
前述の選択する可搬媒体に自動的に複数に分割した割符データの少なくとも一つを格納させることを特徴とするデータの入出力制御方法。
【請求項２】
上記ＳＰＣクライアントからデータ入出力管理サーバに対する通信に対してキーモバイルの認証情報を送信し、データ入出力管理サーバにクライアントからのデータ入出力権限の確認と持ち出し元媒体の権限確認を行うことを特徴とする請求項１に記載のデータの入出力制御方法。
【請求項３】
持ち出しデータの割符後のデータを保存する可搬媒体の情報をデータ入出力管理サーバに記録し、割符データおよび記録した可搬媒体の情報との確認を行うことによりデータの復元を行うことを特徴とする請求項２に記載のデータの入出力制御方法。
【請求項４】
ＳＰＣクライアントよりネットワーク内部に対して持込むデータをデータ入出力管理サーバへ送信し、持ち込む理由を申請する画面制御プログラムを備え、承認者への電子メールによる承認依頼メール機能により通知を行い、承認者により申請理由およびデータの内容を確認することによる承認を行うと同時に申請者に対して電子メールによる通知をし、申請者の使用するＣＢに保存することを特徴とする請求項１に記載のデータの入出力制御方法。
【発明の詳細な説明】
【技術分野】
【０００１】
一般業務で使用するクライアントブレードサーバ（ＣＢ）とＳＰＣクライアントからなるシステムでＳＰＣクライアントからのデータの入出力データおよび理由をユーザの権限により制御し、ネットワークへの入出力データの履歴を管理する方法。
【背景技術】
【０００２】
ＳＰＣクライアント端末は一時記憶領域以外のハードディスクを持たない端末であり、通常のＰＣ端末のハードディスクにあたる記憶媒体はＣＢ内に存在し、ＳＰＣ端末とＣＢとの間で情報を送受することでＰＣ端末の機能を実現している。このＳＰＣ端末とＣＢとの接続は、通称キーモバイルと呼ばれる認証媒体をＳＰＣ端末に接続して本人認証を行い接続先ＣＢを決定することで実現している。
【０００３】
ネットワーク接続設備のない環境でＣＢ内のデータを操作するには、事前にＣＢから可搬媒体へのデータ出力を行い、非ＳＰＣ端末で持ち出したデータを操作することが必要になるが、現在のＳＰＣ端末の機能ではＳＰＣ端末よりデータを可搬媒体へ出力する機能は存在しない。また、データをＳＰＣ端末経由でＣＢへ保存したい場合も現行の機能では、ＣＤ−ＲＯＭからの入力方式しか存在しない。これは、ＣＢに対するデータの入出力を制御することにより機密情報等のネットワーク外への漏洩やネットワーク外からの持込みデータによる脅威を防ぐための制御である。一方で、ＳＰＣ端末を利用している作業者がネットワーク接続設備のない環境でデータの参照・操作を行えない問題がある。
【０００４】
この問題を解決する方法として、ＳＰＣ端末の接続されているネットワークに非ＳＰＣ端末を接続し、データを可搬媒体に記録することが可能であるが、ＳＰＣ端末本来の目的である情報の漏洩やネットワーク外部からのセキュリティに対する脅威を防ぐことができないという問題がある。
【０００５】
この問題への対処方法としては、非ＳＰＣ端末により安全にデータを持ち出す方法が提案されている。一般的な非ＳＰＣ端末よりデータを安全に持ち出す方法としては、特許文献１に示す下記の方法が提案されている。この方法では保管対象データファイルを分割・暗号化し、各データサーバに分割保存し、分割方法や暗号化方法、保存先データサーバ媒体を管理データとして可搬媒体に記録する。データを取り出す場合には保存先データサーバの接続されたネットワークに接続し、管理データを元に分割ファイルの取り出し、複合化および統合を行うことが可能である。また、特許文献２では分割・暗号化されたデータをインターネットに接続されたデータ保管システムに保存し、分割方法および分割データの格納場所を示す管理データをＩＣカードに保存し、そのＩＣカードを利用して分割データをインターネットからダウンロード・復元することが可能である。
【０００６】
【特許文献１】特願２００１−５４７２５６号公報
【特許文献２】特開２００５−９９９１０号公報
【発明の開示】
【発明が解決しようとする課題】
【０００７】
上記特許文献１の方法では、データを安全に分割・暗号化できるものの、ネットワークに接続されていない環境において分割ファイルを作業端末に取り出すことは出来ない。同様に特許文献２の方法でもインターネットに接続できない状況では分割ファイルが取得できず、元のデータを復元することが出来ない。
【０００８】
本発明の目的は、上記課題を解決し、ＳＰＣクライアントから安全にデータを可搬媒体に持ち出すことが可能であり、データの持ち出し・持込みに承認機能を導入することにより、データの入出力を許可する権限を持った管理者がチェックすることにある。また、ユーザの属性により持ち出し・持込みを制御すると共に、データの入出力に一連の履歴を取得することが可能なデータの入出力制御方法を提供することにある。
【課題を解決するための手段】
【０００９】
上記課題を解決するために、本発明のＳＰＣクライアントからのデータの入出力制御方法は以下のように実現する。まず前提として、ユーザの属性は操作者とその管理者（操作者のデータ入出力に対し承認を行う）に分類し、予めデータ入出力管理サーバのデータベースに登録してあることとする。また、ＳＰＣのキーモバイルには利用者（操作者や管理者）の属性情報が記録してある事とする。キーモバイルには既存のデータ分割暗号化ブログラムである割符プログラムを予めインストールしておき、データ入出力管理サーバにも同様に割符プログラムがインストールされていることとする。
【００１０】
操作者がＳＰＣクライアントに対してデータの入出力を行うために、データ入出力管理サーバに承認申請システムを構築し、データの入出力理由を入力する業務画面をもたせる。また、申請理由と共に持込みデータまたは、持ち出しデータをデータ入出力管理サーバに送信するための画面制御を実装し、システム側で自動的に一覧表示可能な機能を作成する。承認者が申請内容とデータ一覧および、申請データを確認できるように、申請理由の参照およびデータを確認できる画面制御機能を実装し、申請の承認を行う。申請および承認結果に従い、申請者向けおよび承認者への通知メールを自動送信できるメールサービスを構築する。受信メールの内容に従い申請者や送信者は後続の必要となる処理を行う。最終的に割符処理を行うまえには、操作者が保存先となる可搬媒体を指定するが、指定可能な可搬媒体の情報はデータ入出力管理サーバが自動的に取得することとする。その場合は、操作者が出力先の非ＳＰＣ端末を選択することにより、自動的にその非ＳＰＣ端末のＯＳ機能より一覧を画面に表示する。割符処理を行う場合は元のデータの分割ファイルと保存先の情報を分割ファイルに記録・暗号化する。割符データの復元を行う場合は、分割されたデータとその可搬媒体の違いがないかを確認し、分割ファイルと保存可搬媒体が異なる場合は復元できない機能を実装する。この機能により割符データを格納する可搬媒体を承認申請時と同一のものに限定することが可能で、割符データをその他の可搬媒体に複製したとしても復元できすることが出来ず、データの漏洩に一定の制限をかけることができる。
【００１１】
これら一連の手続きで行われたデータ入出力管理サーバに対する処理は、入出力管理サーバに操作記録情報として保存する。これにより、データの持ち出し・持込を行う操作者および許可を与えた承認者を確実にシステム管理者が把握することが可能であり、このことにより、システム利用者が持ち出しデータの漏洩や持込みデータの脅威といったセキュリティや情報保全の注意喚起を促す心理的な効果も期待できる。
【発明の効果】
【００１２】
本発明のデータの入出力制御方法により、ＳＰＣ端末においても可搬媒体を経由したデータの入出力を安全に行うことが可能となる。また、ＣＢからデータを持ち出しまたは持込した作業者を操作記録情報から確認することが可能であり、いつ、だれが、どのように、いつまでデータがＣＢから持ち出されたか、または持ち込まれたかを管理できる。
【００１３】
加えて、持ち出された割符データも分割ファイルとその記憶先情報を同時に割符データに書き込むこと、および、復元時にそれらの情報が一致することを確認することにより、持ち出した理由（持ち出し申請理由）以外で割符データが利用されることを防ぐことができる。
【発明を実施するための最良の形態】
【００１４】
以下、本発明のデータ入出力管理サーバにおける処理方法を、図を用いて詳細に説明する。この実施例ではユーザは申請者と承認者に分類する。クライアント端末にはシンクライアント端末としてＳＰＣ端末を用い、ＳＰＣ端末のデータを保存する接続先として申請者および承認者個々に対応するクライアントブレードサーバを用い、申請者および承認者はＳＰＣ端末に接続するキーモバイルによりデータ入出力管理サーバへの認証を行うこととする。またデータ出力の際のデータ分割暗号化技術には、「電子割符」として知られる、複数にデータを不等分割・暗号化する技術を用いることとする。
【００１５】
図１は本実施形態におけるクライアント端末のデータ入出力制御方式の全体構成図である。申請者が使用する申請者クライアント１０と、承認者が使用する承認者クライアント２０、申請者の申請および、承認者による申請内容の確認、承認を行うデータ入出力管理システム２、申請者クライアントブレードの接続先ブレードである申請者クライアントブレード６０と承認者のクライアントブレード６１、割符データの一方を格納する外部入出力装置５をネットワーク１で接続する。申請者のキーモバイル１１には可搬媒体１２が装着されており、システム利用者である申請者や承認者のＩＤ情報が記憶されている。キーモバイル２１と可搬媒体２２は同様に承認者のＩＤ情報が記憶されているものとする。可搬媒体１２はデータ入出力システムの操作のみにより書込む権限が与えられることとする。外部入出力装置５としてはネットワーク対応のハードディスクドライブ装置やＰＣに接続されている可搬媒体等があるが、本システムでは特に特定せず、ネットワークに接続され、可搬媒体に記憶可能な装置とする。ここでネットワークには複数のクライアントがと各種業務サーバが接続しているが、一つのクライアント１０に着目して説明することとする。ここで、クライアントはキーモバイルによる認証によって接続するクライアントブレードが異なるシンクライアント方式を前提とする。
【００１６】
図２はデータ入出力管理サーバ３と入出力管理データベース４からなるデータ入出力管理システム２のシステム構成図である。データ入出力管理サーバ３はネットワーク１を通じてクライアント１０やクライアントブレード６０、外部入出力装置５と情報を送受する通信部３２、認証データベース４を制御するＤＢ制御部３３と、各部の情報送受制御及び申請・承認処理を制御する制御部３１とを備える。入出力管理データベース４には、システム利用者のＩＤ情報と本システムを使用することが可能か否かのを格納する認証情報データベース４００、利用者の立場に応じた入出力権限を格納する入出力権限情報データベース４０１、持ち出しデータを割符する際の情報および、割符データを格納する可搬媒体情報を格納する割符情報データベース４０２、持ち出しおよび持ち込みを行うための申請理由を保存する申請情報データベース４０３を備える。
【００１７】
データ入出力管理サーバの制御部３１には、クライアントのキーモバイルから送信されてくるクライアント識別情報より本システムの使用可否を判断するユーザ認証機能３１１と、ユーザに与えられた入出力権限を確認し、申請・承認画面に与えられた権限を表示する持ち出し権限確認機能３１２、割符を行う場合に可搬媒体の情報をユーザの画面操作に従い取得・記憶する可搬媒体情報取得機能３１３、申請や承認結果を申請者や送信者へメールにより通知する申請・承認情報送信機能３１４、各データベースへの情報登録・更新を行うデータベース管理機能３１５と、システムの利用状況や持ち出し・持込を行った利用者や時期、承認者などの情報を取得し、画面に表示する操作履歴管理機能３１６、データを持ち出す場合に分割・暗号化を行う割符機能３１７、申請や承認、割符データ保存可搬媒体の選択や各種操作結果を表示する申請・承認画面制御機能３１８を備える。
【００１８】
上記本発明の処理に関わるデータベースのデータ例を図３以降に示す。図３は認証情報データベース４００のデータ例で、キーモバイルの識別情報であるユーザＩＤをキーとして、ユーザ氏名等のユーザ個人情報、データ入出力管理システムの利用区分、申請者・承認者情報、申請・承認情報を送信するためのメールアドレスを格納する。利用区分は、ここでは一般の利用者の他に、承認のみを行う利用者と、一時的にシステムの利用を停止する利用者等との区分を設けて管理することとする。申請・承認者情報やメールアドレスのような既存の人事管理システムで共通に使用するような情報は、人事管理システムのデータベースから取得して、夜間のバッチ処理等にて認証情報データベース４００を更新することとしてもよい。
【００１９】
図２３にキーモバイル１１及び可搬媒体１２の構成図を示す。なおキーモバイル２１及び可搬媒体２２も同様の構成である。図２３にキーモバイル１１の構成図を示す。キーモバイル１１には、ユーザ認証及びＳＰＣクライアント１０とクライアントブレード６０の接続を設定するための認証プログラム１１０１と、前記認証に必要な情報である認証情報記憶部１１０２と、電子割符情報作成及び復元機能を備えた割符プログラム１１０３と、上記可搬媒体１２に該当するキーモバイル内のフラッシュメモリである割符情報記憶部１１０４とを備える。上記の内、認証プログラム１１０１と認証情報記憶部１１０２とは既存のキーモバイルが備える構成であり、割符プログラム１１０３は既存のフラッシュメモリに格納可能なプログラムである。図２４に認証情報記憶部１１０２に備えるデータ構成の内、本発明に係る部分を示す。認証情報記憶部１１０２にはユーザＩＤと、サーバに送付するユーザ認証情報、接続先クライアント６０と接続するための接続先情報とを備える。割符情報記憶部１１０４は、データを格納する領域であり割符データ以外の情報を格納しても良い。
【００２０】
図４は入出力権限情報データベース４０１のデータ例である。ユーザＩＤの項目には、上記キーモバイルの識別情報を設定する。ユーザＩＤに対応付けて、持ち出し・持込み権限を入出力権限項目に設定し、またデータを持ち出す際に、持ち出し元とする媒体を持ち出しディバイス項目に設定する。この持ち出しディバイス項目に設定された持ち出しディバイスからのみに出力を制限することにより、機密情報を保持したディバイスからの持ち出しを抑制することができる。入出力権限情報データベース４０１には、認証情報データベース４００の情報登録時に、対応するユーザの権限を設定して同時に登録することが望ましい。各ユーザが職制や立場に応じて一意に持ち出しディバイス等を制限することも可能だが、部署によってはデータの持ち出し・持込みが必要でないところも存在すると考えられる。そのような場合には部署単位で入出力権限を与えないといった設定をきめ細かくすることにより、より安全な情報統制が可能となる。
【００２１】
図５はデータを持ち出す際にデータの割符処理結果を格納する割符情報データベース４０２のデータ例である。割符処理を実施したトランザクション番号と対応付けて、実施時である割符時間、割符作成時に設定した割符パスワード、キーモバイル１０の識別番号と格納先の可搬媒体及び格納時に経由した端末機器の識別情報からなる割符先ディバイス名とを格納する。この格納先の可搬媒体及び格納時に経由する端末機器は、申請者が割符処理実施時に画面入力から指定し、入出力管理サーバ３が取得して格納する。割符パスワードも同様に取得して格納する。このデータはデータ割符機能３１７を実行した後に処理履歴として作成する。
【００２２】
図６は申請情報データベース４０３のデータ例である。申請時に入出力管理サーバ３が付与する申請番号と対応付けて、データ持ち出し・持ち込みの申請理由、持ち出し先名・場所等の持ち出し情報、申請者、承認者、上記図５のトランザクション番号、処理のステータス、本申請に関連する関連申請番号、を格納する。このデータは申請者による申請処理の際に入出力管理サーバ３が情報を取得して格納する。また申請者による申請内容の修正や、承認者による承認結果の入力があったタイミングで入出力管理サーバ３が情報を取得してデータの内容を更新する。
【００２３】
次に図７により、本発明のデータ入出力制御方式におけるデータ出力処理の流れを説明する。申請者がデータの持ち出しを申請する場合、データ入出力管理サーバへログイン１０００をする。データ入出力管理サーバはログインを受けて、承認者クライアント１０のキーモバイル１１に識別情報１００１の送信指令を出すと、申請者が利用するキーモバイル１１の図２３に示す認証プログラム１１０１が認証情報記憶部１１０２の識別情報１００１を取得してデータ入出力管理サーバ３へ送信する。データ入出力管理サーバ３のユーザ認証機能３１１は認証情報データベース４００により、図３に示す申請者の利用区分を判定し（利用区分判定１００２）、利用区分判定結果１００３を申請者に画面で表示する。ユーザ認証機能３１１は識別情報１００１の中のユーザＩＤと、図３に示す認証情報データベース４００のユーザＩＤとを比較し、ユーザＩＤが登録されていない場合は認証不可として処理を終了する。ユーザ認証機能３１１はユーザＩＤが存在した場合、利用区分項目を判定する。例えばユーザＩＤがAA1111の申請者の場合、利用区分は「利用可」である。該当ユーザＩＤの利用区分が「利用不可」であった場合は利用不可として処理を終了する。利用区分判定結果１００３で申請者が本システムを利用可の場合に表示する画面の例を図９に示す。申請者が本システムを利用可能であった場合は、持ち出し理由１００４の画面に従い申請理由等を入力する。入力画面の例を図１０に示す。この画面制御は図２で示す申請・承認画面制御機能３１８が入力画面を生成し、ネットワーク１を介して申請者クライアント１０のディスプレイ１３に送信することにより行う。ここでは、申請者は、持ち出し理由、持ち出し日、顧客名、顧客先、顧客住所、連絡先、データの持ち出し有無等を画面より入力する。入力された情報はネットワーク１を介してデータ入出力管理サーバ３へ送信され、データ入出力管理サーバ３は受信した情報をＤＢ管理機能３１５により申請情報データベース４０３に保存する。データベース４０３のデータ項目例は図６の通りである。この情報を基に、申請者による申請情報の修正や、承認者による参照・承認が可能となる。また、申請と同時にデータの持ち出しを行う場合には、トランザクション番号で対応付けて割符情報データベース４０２にこの申請のデータを登録する。同時にデータの持ち出しを行う場合は、データ入出力管理サーバ３が受信した情報に「データの持ち出し有」が有ることを確認すると（２００１）、データ入出力管理サーバ３の申請・承認画面制御機能３１８は持ち出しファイル送信指示２００２を行うための画面をクライアント端末１０へ送信する。画面の例を図１１に示す。申請者はクライアント端末１０で持ち出しファイルがあるネットワーク上の申請者クライアントブレード６０の場所やファイルが置かれている場所とファイル名を含むファイルパスを画面上に設定して、データ入出力管理サーバ３に送信する。データ入出力管理サーバ３の申請・承認情報送信機能３１４は、図１１画面で設定したファイルパスの送信ボタンの押下をきっかけに、クライアントブレード６０のハードディスクドライブより持ち出しファイル２００４をネットワーク１を経由して取得・保存する（２００３）。データ入出力管理サーバ３の申請・承認情報送信機能３１４は申請者の承認者メールアドレスを認証情報データベース４００より（図３の申請・承認情報の承認者に対応するメールアドレス）取得し、承認依頼通知作成を行い（３００１）、承認通知メール３００２を承認者（承認者用の端末）に送信する。送信メールの例を図１２に示す。
【００２４】
承認者はメールを受信後、クライアント２０からデータ入出力管理サーバへログイン（３００３〜３００６）する。このログイン処理はクライアント１０における処理と同様である。ログイン後、承認者はクライアント２０からデータ入出力管理サーバ３に参照要求を送信し、データ入出力管理サーバ３の申請・承認画面制御機能３１８は図１３に示すような承認画面をクライアント２０に送信する。承認者は、メールで送信されてきた申請番号の申請を参照し、申請理由と持ち出しデータの内容を確認したあと、承認ボタンを押下するとデータ入出力管理サーバ３の申請・承認情報送信機能３１４は承認結果通知を作成し（３００７）、承認結果３００８をメールでネットワーク１を経由して申請者へ送信する。
【００２５】
承認の結果、申請者がクライアント１０からデータ入出力管理サーバ３にデータの持ち出し要求を送信すると、データ入出力管理サーバ３の申請・承認画面制御機能３１８はが図１４に示すような画面をクライアント１０に送信し、申請者はこの画面でネットワーク１における可搬媒体５１の場所（ディバイスパス）を設定し、データ入出力管理サーバ３へ送信する（４００１）。データ入出力管理サーバ３の可搬媒体情報取得機能３１３は、ディバイスパス情報に基づき可搬媒体を格納する外部出力機器５と通信を確立し、機器名や可搬媒体のシリアル番号等の識別情報を取得する。データ入出力管理サーバ３は割符機能３１７により割符処理を実行し（４００２）、申請者が指定した上記可搬媒体とキーモバイル１１へ割符処理を実施した割符データをそれぞれ送信する（４００３）。ここでは、割符処理を行う場合は、キーモバイル１１に保存するファイルサイズのみを図１４のように指定し、残分のファイルは可搬媒体５１に保存することとする。このとき、割符機能３１７は、まず図１４で指定されたファイルサイズに分割後、上記キーモバイル１１及び可搬媒体５１の識別情報をそれぞれの分割データの先頭部分に埋め込み、暗号化を行い、キーモバイル１１および可搬媒体５１に保存する。処理終了後、データ入出力管理サーバ３の申請・承認画面制御機能３１８は図１５に示すような結果画面を生成し（５００１）、ネットワーク１で申請者クライアント１０に送信する（５００２）。
【００２６】
図５で示した割符情報データベース４０２の割符データを元に、申請者はデータを使用したい時に復元を行う。上記処理により割符データは申請者のキーモバイル１１と可搬媒体５１に格納されており、申請者はＰＣからキーモバイル１１に搭載されている割符プログラム１１０３を使用して復元する。このとき割符プログラム１１０３は、割符データが上記処理で申請した申請者キーモバイル１１および可搬媒体５１に保存されているかの判定を、キーモバイル中割符データのキーモバイル識別情報と復元中のキーモバイル識別情報、可搬媒体中割符データの可搬媒体識別情報と復元中の可搬媒体識別情報との比較により行い、どちらかが該当する媒体に保存されていない場合は復元しないこととする。
【００２７】
図８では、本発明のデータ入出力制御方式におけるデータ入力処理の流れを説明する。申請者がデータの持ち込みを申請する場合、データ入出力管理サーバへログイン６０００をする。ログインの認証処理（６０００〜６００３）は図７と同様の処理（１０００〜１００３）を行う。クライアント１０から持ち込み要求を受け、データ入出力管理サーバ３が図７の処理と同様に申請者の利用区分を「利用可能」と判定すると、データ入出力管理サーバ３の申請・承認画面制御機能３１８により図１７に示すような画面を作成し、クライアント１０に送信する。申請者は図１７に示すような画面で持ち出し理由を入力し、データ入出力管理サーバ３に送信する（６００４）。ここでは、過去に申請した持ち出し理由との関係を結びつけるように、過去の申請番号を入力することも可能とする。例えば出張の際にデータの持ち出し申請を行い、出張を行った後、顧客より入手したデータを持ち込む時などは、両申請を関連づけることにより、承認者が持ち込み理由を理解することが可能となる。データ入出力管理サーバ３のデータベース管理機能３１５は、送信情報から申請理由を申請情報データベース４０３に格納する。持ち込みファイル「有り」情報がある場合は、データ入出力管理サーバ３の申請・承認画面制御機能３１８は図１８のようなファイル送信指示画面を作成し、クライアント１０に送信する（７００２）。申請者はクライアント１０の図１８の画面から持ち込みファイルの所在場所であるファイルパス情報を設定し、画面の送信ボタンを押下すると（７００３）、データ入出力管理サーバ３の申請・承認情報送信機能３１４は、前記ファイルパスである外部入力装置５から持ち込みファイルを取得し、データ入出力管理サーバ３に格納する（７００４）。
【００２８】
データ入出力管理サーバ３の申請・承認情報送信機能３１４は、申請者の承認者メールアドレスを認証情報データベース４００より取得し（図３に示すユーザ１の申請の場合、ユーザ２のメールアドレスの取得を行い）、承認依頼通知作成を行い（８００１）、ネットワーク１を経由して承認者クライアント２０に承認通知メールを送信する（８００２）。承認者はメールを受信後、クライアント２０からデータ入出力管理サーバ３へログイン（８００３〜８００５）する。ここでの認証処理も図７における同様の処理とする。データ入出力管理サーバ３は持ち込み承認要求を受けて（８００６）、申請・承認画面制御機能３１８は図２０のような持ち込み承認画面を作成し、クライアント２０に送信する。承認者はクライアント２０の図２０のような画面から、申請理由と持ち込みデータの内容を確認し、申請ボタンにより承認依頼をデータ入出力管理サーバ３へ送信する。データ入出力管理サーバ３の申請・承認情報送信機能３１４は、承認結果通知作成を行い（８００７）、ネットワーク１を経由して申請者クライアント１０に承認結果を送信する（８００８）。承認結果受領後、申請者はクライアント１０からデータ入出力管理サーバ３に持ち込み要求を送信すると、データ入出力管理サーバ３の申請・承認画面制御機能３１８は図２１のような持ち込み指示画面を作成し、クライアント１０に送信する。申請者はクライアント１０の図２１のような画面から自身のクライアントブレード６０にデータを保存する持ち込み指示情報であるクライアントブレード６０上の格納場所（フォルダ名）を設定し、データ入出力管理サーバ３に送信する（９００１）。データ入出力管理サーバ３のデータベース管理機能３１５は、上記格納場所情報と上記持ち込みファイル名に基づきファイル転送命令を作成し（９００２）、ステップ７００４で自己に登録されたファイルをネットワーク１を経由して指定クライアントブレード６０の指定フォルダに格納する（９００３）。処理終了後、データ入出力管理サーバ３の申請・承認画面制御機能３１８は図２２に示すような結果通知画面を作成し（１０００１）、クライアント１０に送信する（１０００２）。
【図面の簡単な説明】
【００２９】
【図１】セキュリティＰＣからのデータの入出力制御方法の全体構成図。
【図２】データ入出力管理サーバ３及び入出力管理データベース４の構成図。
【図３】認証情報データベース４００のデータ例を示す図。
【図４】入出力権限情報データベース４０１のデータ例を示す図。
【図５】割符情報情報データベース４０２のデータ例を示す図。
【図６】申請情報データベース４０３のデータ例を示す図。
【図７】セキュリティＰＣからのデータの入出力制御方法における出力処理の流れを示す図。
【図８】セキュリティＰＣからのデータの入出力制御方法における入力処理の流れを示す図。
【図９】データ持ち出し時の申請者のログイン画面例を示す図。
【図１０】データ持ち出し時の申請情報入力画面例を示す図。
【図１１】データ持ち出し時の持ち出しデータの指定画面例を示す図。
【図１２】データ持ち出し時の承認者への申請到着メール画面例を示す図。
【図１３】データ持ち出し時の承認画面例を示す図。
【図１４】データ持ち出し時の割符データを出力する可搬媒体指定画面例を示す図。
【図１５】データ持ち出し時の割符データ保存結果の通知画面例を示す図。
【図１６】データ持ち込み時の申請者のログイン画面例を示す図。
【図１７】データ持ち込み時の申請情報入力画面例を示す図。
【図１８】データ持ち込み力時の持ち込みデータの指定画面例を示す図。
【図１９】データ持ち込み時の承認者への申請到着メール画面例を示す図。
【図２０】データ持ち込み力時の承認画面例を示す図。
【図２１】データ持ち込み時の保存先指定の画面例を示す図。
【図２２】データ持ち込み時の保存結果の画面例を示す図。
【図２３】キーモバイルの構成例を示す図。
【図２４】認証情報記憶部のデータ例を示す図。
【符号の説明】
【００３０】
１…ネットワーク、２…データ入出力管理システム、３…データ入出力管理サーバ、４…入出力管理データベース、５…外部入出力装置、１０…申請者クライアント、１１…キーモバイル、１２…可搬媒体、２０…承認者クライアント、２１…キーモバイル、２２…可搬媒体、３１…制御部、３２…通信部、３３…データベース制御部、６０…申請者用クライアントブレード、６１…承認者用クライアントブレード
【図１】
2008186315.tif 000003
【図２】
2008186315.tif 000004
【図３】
2008186315.tif 000005
【図４】
2008186315.tif 000006
【図５】
2008186315.tif 000007
【図６】
2008186315.tif 000008
【図７】
2008186315.tif 000009
【図８】
2008186315.tif 000010
【図９】
2008186315.tif 000011
【図１０】
2008186315.tif 000012
【図１１】
2008186315.tif 000013
【図１２】
2008186315.tif 000014
【図１３】
2008186315.tif 000015
【図１４】
2008186315.tif 000016
【図１５】
2008186315.tif 000017
【図１６】
2008186315.tif 000018
【図１７】
2008186315.tif 000019
【図１８】
2008186315.tif 000020
【図１９】
2008186315.tif 000021
【図２０】
2008186315.tif 000022
【図２１】
2008186315.tif 000023
【図２２】
2008186315.tif 000024
【図２３】
2008186315.tif 000025
【図２４】
2008186315.tif 000026